(57)【要約】【課題】通信網を用いたコンテンツのサービス方法、通信網を用いた会員情報提供サービスシステム及び方法を提供する。【解決手段】本発明は、コードを利用してコンテンツを送受信したり落し物を見付けるために必要な会員情報を確認できるとともに、会員の意図するところとは異なって、コードを介してアクセスした情報が第３者によって悪用または誤用される可能性を防止することができる技術を開示する。【選択図】図１
2013530439.tif 000002
【特許請求の範囲】
【請求項１】
商品に印字されたコードに含まれて、コンテンツサービスを提供するサイトにアクセス可能にするアクセス情報及び会員に関する識別情報を登録する登録ステップと、
前記識別情報に連結されたコンテンツへの第３者の無断アクセスを防止するための保護ロックを設定するロック設定ステップと、
前記ロック設定ステップで設定された保護ロックを解除させるロック解除ステップと、
前記サイトに通信端末を利用してアクセスした第３者が、前記サイトが提供する任意のコンテンツを選択して、前記登録ステップで登録された特定の会員に提供することを要求すれば、前記要求を受信して、前記任意のコンテンツを前記識別情報に連結する連結ステップと、
前記特定の会員が今後前記コードを認識することができるコード認識モジュールを有する会員端末を介して前記コードを認識して前記サイトにアクセスすれば、前記保護ロックが設定されているか否かを判断する判断ステップと、
前記保護ロックが設定されていれば、前記会員端末に前記特定の会員に連結された前記任意のコンテンツを伝送することを不許し、前記保護ロックが解除されていれば、前記会員端末に前記識別情報に連結された前記任意のコンテンツを伝送する伝送ステップと、を含むことを特徴とする通信網を用いたコンテンツのサービス方法。
【請求項２】
商品に印字されたコードに含まれて、コンテンツサービスを提供するサイトにアクセス可能にするアクセス情報及び会員に関する識別情報を登録する登録ステップと、
前記識別情報に連結されたコンテンツへの第３者の無断アクセスを防止するための認証ロックを設定するロック設定ステップと、
前記ロック設定ステップで設定された認証ロックを解除させるロック解除ステップと、
前記サイトに通信端末を利用してアクセスした第３者が、前記サイトが提供する任意のコンテンツを選択して、前記登録ステップで登録された特定の会員に提供することを要求すれば、前記要求を受信して、前記任意のコンテンツを前記識別情報に連結する連結ステップと、
前記会員が今後前記コードを認識することができるコード認識モジュールを有する会員端末を介して前記コードを認識して前記サイトにアクセスすれば、前記認証ロックが設定されているか否かを判断する判断ステップと、
前記認証ロックが設定されていれば、認証手続きを経た後、前記会員端末に前記識別情報に連結された前記任意のコンテンツを伝送し、前記認証ロックが解除されていれば、前記認証手続きを省略した状態で、前記会員端末に前記識別情報に連結された前記任意のコンテンツを伝送する伝送ステップと、を含むことを特徴とする通信網を用いたコンテンツのサービス方法。
【請求項３】
前記会員端末に、前記特定の会員に新規のコンテンツが到着したことを通知する通知ステップをさらに含むことを特徴とする請求項１または請求項２に記載の通信網を用いたコンテンツのサービス方法。
【請求項４】
会員に関する情報（以下、会員情報という）にアクセス可能にするアクセス情報の含まれたコードが印字されている商品と、
前記商品に印字された前記コードを認識した後、前記アクセス情報を利用して前記会員情報にアクセスすることによって前記会員情報を確認することができる通信端末と、
前記会員情報を有し、前記会員情報にアクセスしようとする前記通信端末に前記会員情報を伝送するが、情報保護ロックが設定されている場合には、前記通信端末を介する前記会員情報へのアクセスを不許するサーバーと、を備えることを特徴とする通信網を用いた会員情報提供サービスシステム。
【請求項５】
会員に関する情報（以下、会員情報という）にアクセス可能にするアクセス情報の含まれたコードが印字されている商品と、
前記商品に印字された前記コードを認識した後、前記アクセス情報を利用して前記会員情報にアクセスすることによって前記会員情報を確認することができる通信端末と、
前記会員情報を有し、前記会員情報にアクセスしようとする前記通信端末に対する認証手続きを経た後、前記通信端末の前記会員情報へのアクセスを許可するが、認証ロックが解除されている場合には、前記認証手続きを省略するサーバーと、を備えることを特徴とする通信網を用いた会員情報提供サービスシステム。
【請求項６】
会員に関する情報（以下、会員情報という）にアクセス可能にするアクセス情報の含まれたコードが印字されている商品と、
前記商品に印字された前記コードのイメージを獲得することができ、アクセス情報を利用して前記会員情報にアクセスすることができる通信端末と、
前記通信端末から前記コードのイメージが受信されれば、前記コードのイメージから前記アクセス情報を解釈して、前記通信端末に前記アクセス情報を伝送するが、前記アクセス情報に関連した会員情報に情報保護ロックが設定されている場合には、前記通信端末への前記アクセス情報の伝送を不許し、前記アクセス情報を利用して前記会員情報にアクセスしようとする前記通信端末の前記会員情報へのアクセスを許可するサーバーと、を備えることを特徴とする通信網を用いた会員情報提供サービスシステム。
【請求項７】
会員に関する情報（以下、会員情報という）を提供するサイトにアクセス可能にするアクセス情報及び会員情報を登録する登録ステップと、
前記会員情報へのアクセスを遮断する情報保護ロックを設定するロック設定ステップと、
前記ロック設定ステップで設定された情報保護ロックを解除させるロック解除ステップと、
所定の通信端末から前記会員情報へのアクセスが要求されれば、前記情報保護ロックが設定されているか否かを判断する判断ステップと、
前記情報保護ロックが設定されていれば、前記通信端末の前記会員情報へのアクセスを不許し、情報保護ロックが解除されていれば、前記通信端末の前記会員情報へのアクセスを許可するアクセス・ステップと、を含むことを特徴とする通信網を用いた会員情報提供サービス方法。
【請求項８】
会員に関する情報（以下、会員情報という）を提供するサイトにアクセス可能にするアクセス情報及び会員情報を登録する登録ステップと、
前記会員情報へのアクセスに必要な認証のための認証ロックを設定するロック設定ステップと、
前記ロック設定ステップで設定された認証ロックを解除させるロック解除ステップと、
所定の通信端末から前記会員情報へのアクセスが要求されれば、前記認証ロックが設定されているか否かを判断する判断ステップと、
前記認証ロックが設定されていれば、認証手続きを経た後、前記通信端末の前記会員情報へのアクセスを許可し、認証ロックが解除されていれば、前記認証手続きを省略した状態で前記通信端末の前記会員情報へのアクセスを許可するアクセス・ステップと、を含むことを特徴とする通信網を用いた会員情報提供サービス方法。
【請求項９】
会員に関する情報（以下、会員情報という）を提供するサイトにアクセス可能にするアクセス情報及び会員情報を登録する登録ステップと、
所定の通信端末からコードのイメージを受信する受信ステップと、
前記会員情報にアクセスしようとする通信端末から受信された前記コードのイメージから、前記会員情報にアクセス可能にするアクセス情報を解釈する解釈ステップと、
前記解釈ステップで解釈された前記アクセス情報を前記通信端末に伝送する伝送ステップと、
前記アクセス情報を利用して前記会員情報にアクセスしようとする前記通信端末の前記会員情報へのアクセスを許可するアクセス・ステップと、を含むことを特徴とする通信網を用いた会員情報提供サービス方法。
【請求項１０】
前記会員情報へのアクセスを遮断する情報保護ロックを設定するロック設定ステップと、
前記ロック設定ステップで設定された情報保護ロックを解除させるロック解除ステップと、を含み、
前記情報保護ロックが設定されている場合には、前記送信ステップを省略することを特徴とする請求項９に記載の通信網を用いた会員情報提供サービス方法。
【請求項１１】
前記会員情報に前記会員の連絡情報が含まれている場合、前記会員情報へのアクセスを要求する前記通信端末の位置情報を前記会員に知らせる通知ステップをさらに含むことを特徴とする請求項７ないし請求項１０のうち何れか一項に記載の通信網を用いた会員情報提供サービス方法。
【請求項１２】
前記会員情報に前記会員の連絡情報が含まれている場合、前記会員情報へのアクセスを要求する前記通信端末の電話番号を前記会員に知らせる通知ステップをさらに含むことを特徴とする請求項７ないし請求項１０のうち何れか一項に記載の通信網を用いた会員情報提供サービス方法。
【発明の詳細な説明】
【技術分野】
【０００１】
本発明は、コードを利用してコンテンツを送受信したり、落し物を見付けることができる技術に関する。
【背景技術】
【０００２】
コードは、日常生活に広く普及されて、情報へのアクセスなどにおいて多様な便利さを提供するために活用されている。
【０００３】
そのようなコードの例としては、直線状のバーが一列に配置されている一次元的なバーコード、四角形の領域内に複数個の点が配置されている２次元コードなどがある。
【０００４】
一般的に、コードに含まれた情報を得るためには、別途のコードリーダーが必要であった。したがって、別途のコードリーダーを持っている者のみがコードに含まれた情報を確認することができたため、コードリーダーを持っていない一般大衆の場合は、コードに含まれた情報を活用することが難しかった。
【０００５】
ところで、近来、カメラ付きポータブル端末を利用して、コードが提供しようとする情報を容易に得ることができる技術が開発された。さらに、コードそのものが有する情報だけでなく、コードを利用してインターネットにアクセスして、当該コードに関連したさらに多くの多様な情報を得る技術にまで発展した。例えば、ポータブル端末を持っている者は、ショッピングセンターで展示された商品に印字されたバーコードを利用して、価格比較サイトにアクセスして、当該商品が何処で最低価格で販売されているかのような情報を容易に獲得することができる。
【０００６】
前述のように、コードは、独自の情報のみを提供する媒介体から、インターネットを介してさらに多くの関連情報を提供する媒介体に発展したが、それは、ユーザがコードを利用してユーザ自身の所望する情報に容易かつ迅速にアクセスすることができるためであると考えられる。
【０００７】
本発明は、コードを利用して情報を容易かつ迅速に獲得することや、さらには知り合い同士でコンテンツを送受信したり、落し物を見付けることに活用するために開発された。
【発明の概要】
【発明が解決しようとする課題】
【０００８】
本発明は、コードを利用してコンテンツを送受信したり落し物を見付けるために必要な会員情報が確認できるとともに、情報が第３者によって悪用または誤用される可能性を防止することができる技術を提供することを目的とする。
【課題を解決するための手段】
【０００９】
前述のような目的を達成するための本発明の一つの態様による通信網を用いたコンテンツのサービス方法は、商品に印字されたコードに含まれて、コンテンツサービスを提供するサイトにアクセス可能にするアクセス情報及び会員に関する識別情報を登録する登録ステップと、前記識別情報に連結されたコンテンツへの第３者の無断アクセスを防止するための保護ロックを設定するロック設定ステップと、前記ロック設定ステップで設定された保護ロックを解除させるロック解除ステップと、前記サイトに通信端末を利用してアクセスした第３者が、前記サイトが提供する任意のコンテンツを選択して、前記登録ステップで登録された特定の会員に提供することを要求すれば、前記要求を受信して、前記任意のコンテンツを前記識別情報に連結する連結ステップと、前記特定の会員が今後前記コードを認識することができるコード認識モジュールを有する会員端末を介して前記コードを認識して前記サイトにアクセスすれば、前記保護ロックが設定されているか否かを判断する判断ステップと、前記保護ロックが設定されていれば、前記会員端末に前記特定の会員に連結された前記任意のコンテンツを伝送することを不許し、前記保護ロックが解除されていれば、前記会員端末に前記識別情報に連結された前記任意のコンテンツを伝送する伝送ステップと、を含む。
【００１０】
前述のような目的を達成するための本発明の他の態様による通信網を用いたコンテンツのサービス方法は、商品に印字されたコードに含まれて、コンテンツサービスを提供するサイトにアクセス可能にするアクセス情報及び会員に関する識別情報を登録する登録ステップと、前記識別情報に連結されたコンテンツへの第３者の無断アクセスを防止するための認証ロックを設定するロック設定ステップと、前記ロック設定ステップで設定された認証ロックを解除させるロック解除ステップと、前記サイトに通信端末を利用してアクセスした第３者が、前記サイトが提供する任意のコンテンツを選択して、前記登録ステップで登録された特定の会員に提供することを要求すれば、前記要求を受信して、前記任意のコンテンツを前記識別情報に連結する連結ステップと、前記会員が今後前記コードを認識することができるコード認識モジュールを有する会員端末を介して前記コードを認識して前記サイトにアクセスすれば、前記認証ロックが設定されているか否かを判断する判断ステップと、前記認証ロックが設定されていれば、認証手続きを経た後、前記会員端末に前記識別情報に連結された前記任意のコンテンツを伝送し、前記認証ロックが解除されていれば、前記認証手続きを省略した状態で、前記会員端末に前記識別情報に連結された前記任意のコンテンツを伝送する伝送ステップと、を含む。
【００１１】
前記会員端末に、前記特定の会員に新規のコンテンツが到着したことを通知する通知ステップをさらに含むことが好ましい。
【００１２】
前述のような目的を達成するための本発明の一つの態様による通信網を用いた会員情報提供サービスシステムは、会員に関する情報（以下、会員情報という）にアクセス可能にするアクセス情報の含まれたコードが印字されている商品と、前記商品に印字された前記コードを認識した後、前記アクセス情報を利用して前記会員情報にアクセスすることによって前記会員情報を確認することができる通信端末と、前記会員情報を有し、前記会員情報にアクセスしようとする前記通信端末に前記会員情報を伝送するが、情報保護ロックが設定されている場合には、前記通信端末を介する前記会員情報へのアクセスを不許するサーバーと、を備える。
【００１３】
前述のような目的を達成するための本発明の他の態様による通信網を用いた会員情報提供サービスシステムは、会員に関する情報（以下、会員情報という）にアクセス可能にするアクセス情報の含まれたコードが印字されている商品と、前記商品に印字された前記コードを認識した後、前記アクセス情報を利用して前記会員情報にアクセスすることによって前記会員情報を確認することができる通信端末と、前記会員情報を有し、前記会員情報にアクセスしようとする前記通信端末に対する認証手続きを経た後、前記通信端末の前記会員情報へのアクセスを許可するが、認証ロックが解除されている場合には、前記認証手続きを省略するサーバーと、を備える。
【００１４】
前述のような目的を達成するための本発明のさらに他の態様による通信網を用いた会員情報提供サービスシステムは、会員に関する情報（以下、会員情報という）にアクセス可能にするアクセス情報の含まれたコードが印字されている商品と、前記商品に印字された前記コードのイメージを獲得することができ、アクセス情報を利用して前記会員情報にアクセスすることができる通信端末と、前記通信端末から前記コードのイメージが受信されれば、前記コードのイメージから前記アクセス情報を解釈して、前記通信端末に前記アクセス情報を伝送するが、前記アクセス情報に関連した会員情報に情報保護ロックが設定されている場合には、前記通信端末への前記アクセス情報の伝送を不許し、前記アクセス情報を利用して前記会員情報にアクセスしようとする前記通信端末の前記会員情報へのアクセスを許可するサーバーと、を備える。
【００１５】
前述のような目的を達成するための本発明の一つの態様による通信網を用いた会員情報提供サービス方法は、会員に関する情報（以下、会員情報という）を提供するサイトにアクセス可能にするアクセス情報及び会員情報を登録する登録ステップと、前記会員情報へのアクセスを遮断する情報保護ロックを設定するロック設定ステップと、前記ロック設定ステップで設定された情報保護ロックを解除させるロック解除ステップと、所定の通信端末から前記会員情報へのアクセスが要求されれば、前記情報保護ロックが設定されているか否かを判断する判断ステップと、前記情報保護ロックが設定されていれば、前記通信端末の前記会員情報へのアクセスを不許し、情報保護ロックが解除されていれば、前記通信端末の前記会員情報へのアクセスを許可するアクセス・ステップと、を含むことを特徴とする。
【００１６】
前述のような目的を達成するための本発明の他の態様による通信網を用いた会員情報提供サービス方法は、会員に関する情報（以下、会員情報という）を提供するサイトにアクセス可能にするアクセス情報及び会員情報を登録する登録ステップと、前記会員情報へのアクセスに必要な認証のための認証ロックを設定するロック設定ステップと、前記ロック設定ステップで設定された認証ロックを解除させるロック解除ステップと、所定の通信端末から前記会員情報へのアクセスが要求されれば、前記認証ロックが設定されているか否かを判断する判断ステップと、前記認証ロックが設定されていれば、認証手続きを経た後、前記通信端末の前記会員情報へのアクセスを許可し、認証ロックが解除されていれば、前記認証手続きを省略した状態で前記通信端末の前記会員情報へのアクセスを許可するアクセス・ステップと、を含む。
【００１７】
前述のような目的を達成するための本発明のさらに他の態様による通信網を用いた会員情報提供サービス方法は、会員に関する情報（以下、会員情報という）を提供するサイトにアクセス可能にするアクセス情報及び会員情報を登録する登録ステップと、所定の通信端末からコードのイメージを受信する受信ステップと、前記会員情報にアクセスしようとする通信端末から受信された前記コードのイメージから、前記会員情報にアクセス可能にするアクセス情報を解釈する解釈ステップと、前記解釈ステップで解釈された前記アクセス情報を前記通信端末に伝送する伝送ステップと、前記アクセス情報を利用して前記会員情報にアクセスしようとする前記通信端末の前記会員情報へのアクセスを許可するアクセス・ステップと、を含む。
【００１８】
前記会員情報へのアクセスを遮断する情報保護ロックを設定するロック設定ステップと、前記ロック設定ステップで設定された情報保護ロックを解除させるロック解除ステップと、を含み、前記情報保護ロックが設定されている場合には、前記送信ステップを省略することが好ましい。
【００１９】
前記会員情報に前記会員の連絡情報が含まれている場合、前記会員情報へのアクセスを要求する前記通信端末の位置情報を前記会員に知らせる通知ステップをさらに含むことが好ましい。
【００２０】
前記会員情報に前記会員の連絡情報が含まれている場合、前記会員情報へのアクセスを要求する前記通信端末の電話番号を前記会員に知らせる通知ステップをさらに含むことがさらに好ましい。
【発明の効果】
【００２１】
本発明によれば、情報へのアクセスを容易かつ迅速にするコードを利用してコンテンツを送受信したり落し物を見付けるために必要な会員情報が確認できるとともに、会員の意図するところとは異なって、コードを介してアクセスした情報が第３者によって悪用または誤用される可能性を防止することができる。
【図面の簡単な説明】
【００２２】
【図１】本発明による通信網を用いたコンテンツのサービス方法を具現するシステムの構成図である。
【図２】図１のシステムにより具現されることができる本発明の第１実施形態による通信網を用いたコンテンツのサービス方法を示すフローチャートである。
【図３】図１のシステムにより具現されることができる本発明の第２実施形態による通信網を用いたコンテンツのサービス方法を示すフローチャートである。
【図４】本発明の第１実施形態による通信網を用いた会員情報提供サービスシステムの構成図である。
【図５】図４のシステムにより具現されることができる本発明の第１実施形態による通信網を用いた会員情報提供サービス方法を示すフローチャートである。
【図６】本発明の第２実施形態による通信網を用いた会員情報提供サービスシステムの構成図である。
【図７】図６のシステムにより具現されることができる本発明の第２実施形態による通信網を用いた会員情報提供サービス方法を示すフローチャートである。
【図８】本発明の第１実施形態による通信網を用いた会員情報提供サービスシステムの構成図である。
【図９】図８のシステムにより具現されることができる本発明の第１実施形態による通信網を用いた会員情報提供サービス方法を示すフローチャートである。
【発明を実施するための形態】
【００２３】
以下、前述のような本発明による好ましい実施形態を添付図面を参照して説明するが、説明を簡単にするために、繰り返される説明を可能な限り省略または圧縮する。
【００２４】
＜コンテンツ送受信システムに関する例＞
図１は、本発明の実施形態による通信網を用いたコンテンツのサービス方法を具現するシステムを示す。
【００２５】
コンテンツの送受信に必要なシステムは、図１に示されるように、商品１１０、会員端末１２０及びサーバー１３０を備える。
【００２６】
商品１１０にはコードＣが印字されているが、前記コードＣは、サーバー１３０がインターネットを介して提供するサイトにアクセス可能にするアクセス情報（例えば、Ｕｎｉｆｏｒｍ  Ｒｅｓｏｕｒｃｅ  Ｌｏｃａｔｏｒ：ＵＲＬ）を含む。
【００２７】
会員端末１２０は、有線または無線通信が可能であり、カメラが取り付けられている。ここで、カメラは、コードＣを認識することができるコード認識モジュールとして機能する。このような会員端末１２０は、会員の操作によって、カメラによって商品に印字されたコードＣが撮影されれば、自動化したコード解読プログラムによりコードＣを解読してアクセス情報を獲得した後、サーバー１３０が提供するサイトにアクセス可能にする。
【００２８】
サーバー１３０は、多様なコンテンツを提供することができ、コードＣを介する会員端末１３０のアクセスを許可または不許することによって、適切なコンテンツの送受信を可能にする機能を行う。
【００２９】
＜コンテンツの送受信に関する第１実施形態＞
図１のシステムにより行われるコンテンツの送受信に関する第１実施形態を図２のフローチャートを参照して説明する。
【００３０】
１．登録＜Ｓ２０１＞
サーバー１３０には、サイトにアクセス可能にするアクセス情報及び会員を識別することができる識別情報（例えば、会員端末の電話番号、会員のコードが印字された商品の製造シリアル番号、個人識別番号や、当該サイトで任意に付与する固有のＩＤまたは数字のように会員を識別することができる情報）が登録される。ここで、アクセス情報及び識別情報は、会員が会員端末または別の通信端末を介してアクセスして登録してもよく、商品（アクセサリ、服、履き物、カバンなど）が販売される商店またはメーカーなどで代行して登録してもよい。また、アクセス情報は、商品が販売される商店またはメーカーで登録し、識別情報は、会員が登録する方式により個別に分けて登録（または取得）してもよい。例えば、アクセス情報がＵＲＬであれば、識別情報は個人の固有の情報である。したがって、識別情報として会員の電話番号（例えば、０１０−９８６６−２２２２）を使用する場合に登録過程を行えば、個別のページ（またはサイト）が生成されることができる。
【００３１】
２．ロック（ＬＯＣＫ）の設定＜Ｓ２０２ａ＞
会員は、会員端末１２０（または別の通信端末であってもよい）を介して当該サイトにアクセスして、識別情報に連結されたコンテンツ（イメージ、動画、音楽など）への第３者の無断アクセスを防止するための情報保護ロックを設定する。それは、会員の占有を離脱した会員端末１２０によってコンテンツが無断で流出することを防止するためのことである。
【００３２】
３．ロック解除＜Ｓ２０２ｂ＞
会員は、当該サイトにアクセスして、設定された情報保護ロックを解除することができる。情報保護ロックが解除された場合、コードＣを解読してアクセスを試みる会員端末１２０は、特別にアクセスに対して邪魔されずにサイト、当該サイトで当該会員に割り当てられたウェプページ、及び当該会員の識別情報に連結されたコンテンツに自由にアクセスすることができる。
【００３３】
前記ステップＳ２０２ａ及びステップＳ２０２ｂは、会員によって選択的に行われる（以下の他の実施形態においても同様）。
【００３４】
４．連結＜Ｓ２０３＞
サイトに通信端末（図示せず）を利用してアクセスした第３者（例えば、会員の知り合い）が、当該サイトが提供するコンテンツまたは自身の通信端末に保存されているコンテンツを当該会員に提供することを要求すれば、サーバー１３０は、第３者の要求を受信して当該コンテンツを会員の識別情報に連結させる。
【００３５】
５．通知＜Ｓ２０４＞
また、サーバー１３０は、コンテンツを当該会員の識別情報に連結させるとともに、新規のコンテンツが当該会員に到着したことを知らせる内容のメッセージ（ＳＭＳ、ＭＭＳまたは自動音声案内メッセージなど）を会員端末１２０に通知する。このような通知ステップは、本発明によるサービスを具現するに当たってさらに好ましい。
【００３６】
６．判断＜Ｓ２０５＞
通知された当該会員が、自身の商品１１０に印字されたコードＣを会員端末１２０を利用して撮影することによってサイト及び自身に到着したコンテンツへのアクセスを試みれば、サーバー１３０は、情報保護ロックが設定されているか否かを判断する。
【００３７】
７．伝送＜Ｓ２０６ａ及びＳ２０６ｂ＞
情報保護ロックが解除された状態であれば、サーバー１３０は、会員端末１２０にコンテンツを伝送し＜Ｓ２０６ａ＞、もし、情報保護ロックが設定されていれば、サーバー１３０は、会員端末１２０へのコンテンツの伝送を不許する＜Ｓ２０６ｂ＞。
【００３８】
ここで、コンテンツの伝送を不許する方式の例としては、会員端末１２０がコンテンツにアクセスすることを基本的に不許する方式と、コンテンツが到着したことを確認する程度は許容するがコンテンツの伝送は禁止させる方式とが挙げられる。会員端末１２０がコンテンツへのアクセスを不許する方式は、会員端末１２０を介してアクセスを試みる者がサイトにアクセスすることを遮断（または、コンテンツへのアクセスを遮断）することによって具現されることができる。また、会員端末１２０のコンテンツが到着したことを確認する程度は許容するがコンテンツの伝送は禁止させる方式は、会員端末１２０にアクセスした者が、新規のコンテンツが到着したことを直接確認することはできるが、当該コンテンツを伝送することを要求することには応じないことによって具現されることができる。
【００３９】
もちろん、コンテンツの伝送は、会員端末１２０を介するアクセスによって別途の手続きなしに行われるように具現されるか、またはアクセスした会員の要求に応じて行われるように具現されることができる。
【００４０】
＜コンテンツの送受信に関する第２実施形態＞
図２のシステムで行われるコンテンツの送受信に関する第２実施形態を図３のフローチャートを参照して説明する。
【００４１】
１．登録＜Ｓ３０１＞
サーバー１３０には、サイトにアクセス可能にするアクセス情報、会員を識別することができる識別情報及び認証情報が登録される。
【００４２】
２．ロックの設定＜Ｓ３０２ａ＞
会員は、当該サイトにアクセスして、識別情報に連結されたコンテンツへの第３者の無断アクセスを防止するための認証ロックを設定する。
【００４３】
３．ロック解除＜Ｓ３０２ｂ＞
会員は、当該サイトにアクセスして、設定された認証ロックを解除することができる。認証ロックが解除された場合、コードＣを解読してアクセスを試みる会員端末１２０は、認証手続きを経ずともサイト、当該サイトで当該会員に割り当てられたウェプページ、及び当該会員の識別情報に連結されたコンテンツに自由にアクセスすることができる。
【００４４】
４．連結＜Ｓ３０３＞
サイトに通信端末を利用してアクセスした第３者が、当該サイトが提供するコンテンツまたは自身の通信端末に保存されているコンテンツを当該会員に提供することを要求すれば、サーバーは、第３者の要求を受信して当該コンテンツを会員の識別情報に連結させる。
【００４５】
５．通知＜Ｓ３０４＞
また、サーバー１３０は、コンテンツを当該会員の識別情報に連結させるとともに、新規のコンテンツが当該会員に到着したことを知らせる内容のメッセージを会員端末１２０に通知する。
【００４６】
６．判断＜Ｓ３０５＞
通知された当該会員が、自身の商品に印字されたコードを会員端末１２０を利用して撮影することによってサイト及び自身に到着したコンテンツへのアクセスを試みれば、サーバー１３０は、認証ロックが設定されているか否かを判断する。
【００４７】
７．伝送＜Ｓ３０６ａないしＳ３０６ｃ＞
認証ロックが設定されていれば、サーバーは、認証手続きを経ることによって認証が行われる場合には会員端末１２０にコンテンツを伝送し＜Ｓ３０６ａ＞、認証が行われていない場合には、会員端末１２０へのコンテンツの伝送を不許する＜Ｓ３０６ｂ＞。もし、認証ロックが解除された状態と判断されれば、サーバーは、別途の認証手続きを経ずに会員端末１２０にコンテンツを伝送する＜Ｓ３０６ｃ＞。
【００４８】
＜会員情報提供サービスシステム及び方法に関する説明＞
本発明によるサービスシステム及び方法は、落し物を見付けることに活用することができる。ここで、落し物とは、コードが印字された商品そのものだけでなく、コードが印字された商品を所有するお年寄り、子供、ペットなどであることができる。
【００４９】
＜第１実施形態＞
図４は、本発明の実施形態による通信網を用いた会員情報提供方法を具現するシステムを示す。
【００５０】
会員情報の提供に必要なシステムは、図４に示されるように、商品４１０、通信端末４２０、及びサーバー４３０を備える。
【００５１】
商品４１０にはコードＣが印字されているが、当該コードＣには、サーバー４３０がインターネットを介して提供する特定のウェブページ（このウェブページには特定のコードと連結される会員に関する情報が記録されている）にアクセス可能にするアクセス情報が保存されている。
【００５２】
通信端末４２０は、有線または無線通信が可能であり、カメラが取り付けられている。ここで、カメラは、コードを認識することができるコード認識モジュールとして機能する。このような通信端末４２０は、所有者の操作によって、カメラによって商品に印字されたコードＣが撮影されれば、自動化したコード解読プログラムによりコードを解読してアクセス情報を獲得した後、サーバー４３０が提供するウェブページにアクセスして会員情報を確認することができる。
【００５３】
サーバー４３０は、会員に関する情報（以下、会員情報という。名前、電話番号、電子メールアドレスなど）をウェプページ上に記録してサービスを行う。ここで、サーバー４３０は、情報保護ロックが設定されている場合には、アクセスを試みる通信端末４２０の会員情報へのアクセスを不許し、情報保護ロックが解除された場合にのみ通信端末４２０の会員情報へのアクセスを許可する。
【００５４】
次いで、前述のような会員情報提供システムで行われる会員情報提供サービス方法について、図５のフローチャートを参照して説明する。
【００５５】
１．登録＜Ｓ５０１＞
サーバー４１０には、会員情報にアクセス（さらに具体的には、会員情報が記録されたウェプページにアクセス）することができるアクセス情報及び会員情報（または、商品情報など）が登録される。
【００５６】
２．ロック設定＜Ｓ５０２ａ＞
落し物を拾得したり、拾得してはいないが、コードＣが印字された商品４１０にアクセスすることができる第３者によって会員情報が悪用または誤用されることを防止するために情報保護ロックを設定する。このようなロック設定は、会員がサーバー４３０にアクセスして実行させることができる。このように、情報保護ロックが設定されている場合には、会員情報が第３者によって無断で流出することが防止することができる。逆に、情報保護ロックが設定されていない場合には、第３者が道行く子供の服に印字されたコードＣを撮影して、会員である親の連絡先を獲得した後、偽りで子供が誘拐されたから、銀行口座へのお金の送金を要求する事故などが発生し得るが、情報保護ロックの設定によりそのような事故を防止することができる。
【００５７】
３．ロック解除＜Ｓ５０２ｂ＞
会員は、サーバー４３０にアクセスして、設定された保護ロックを解除することができる。保護ロックが解除された場合、コードＣを解読してアクセスを試みる通信端末４２０は、特別にアクセスに対して邪魔されずに会員情報にアクセスすることができる。例えば、遊園地などで迷子になった子供の親が情報保護ロックを解除しておけば、泣いている子供を見つけた任意の第３者がコードＣを利用して会員情報にアクセスすることによって、親と直ぐ連絡が取れることができる。
【００５８】
４．判断＜Ｓ５０３＞
落し物を拾得した第３者が、自身の通信端末４２０を利用して落し物に印字されたコードＣを撮影することによって会員情報へのアクセスを試みれば、サーバー４３０は、情報保護ロックが設定されているか否かを判断する。
【００５９】
５．アクセスの許可または不許＜Ｓ５０４ａ及びＳ５０４ｂ＞
情報保護ロックが解除されていれば、サーバー４３０は、通信端末４２０の会員情報へのアクセスを許可し＜Ｓ５０４ａ＞、情報保護ロックが設定されていれば、サーバー４３０は、通信端末４２０の会員情報へのアクセスを不許する＜Ｓ５０４ｂ＞。
【００６０】
６．通知＜Ｓ５０５＞
サーバー４３０は、会員情報に含まれた会員の電話番号または電子メールアドレスへのアクセスを試みる第３者の通信端末４２０の位置を通知する。また、実施によっては、第３者の通信端末４２０の電話番号を同時に通知することがさらに好ましい。したがって、落し物の拾得を早めることができ、悪用または誤用する第３者の位置または電話番号を把握可能にすることによって、悪用または誤用を防止することができる。また、実施によっては、会員だけでなく、警察署などの落し物を見付けてくれる機関のサーバーまたは通信端末に通知することも好ましく考えられる。
【００６１】
＜第２実施形態＞
図６は、本発明の第２実施形態による通信網を用いた会員情報提供方法を具現するシステムを示す。
【００６２】
会員情報提供に必要なシステムは、図６に示されるように、商品６１０、通信端末６２０及びサーバー６３０を備える。
【００６３】
商品６１０にはコードＣが印字されているが、当該コードＣには、サーバー６３０がインターネットを介して提供するウェブページにアクセス可能にするアクセス情報が保存されている。
【００６４】
通信端末６２０は、有線または無線通信が可能であり、カメラが取り付けられている。
【００６５】
サーバー６３０は、会員に関する情報（以下、会員情報という。名前、電話番号、個人識別番号、電子メールアドレスなど）をウェプページ上に記録してサービスを行う。ここで、サーバー６３０は、認証ロックが設定されている場合には、認証手続きを経た後、通信端末６２０の会員情報へのアクセスを許可し、認証ロックが解除された場合には、別の認証手続きなしで通信端末６２０の会員情報へのアクセスを許可する。
【００６６】
次いで、前述のような会員情報提供システムで行われる会員情報提供サービス方法について、図７のフローチャートを参照して説明する。
【００６７】
１．登録＜Ｓ７０１＞
サーバー６３０には、会員情報（電話番号など）にアクセス可能にするアクセス情報及び会員情報が登録される。また、会員であることを認証することができる認証情報も登録される。
【００６８】
２．ロック設定＜Ｓ７０２ａ＞
会員情報が悪用または誤用されることを防止するために認証ロックを設定する。
【００６９】
３．ロック解除＜Ｓ７０２ｂ＞
会員は、サーバー６３０にアクセスして、会員認証の後で設定された認証ロックを解除することができる。
【００７０】
４．判断＜Ｓ７０３＞
落し物を拾得した第３者が、自身の通信端末６２０を利用して落し物に印字されたコードを撮影することによって会員情報へのアクセスを試みれば、サーバー６３０は、認証ロックが設定されているか否かを判断する。
【００７１】
５．アクセスの許可または不許＜Ｓ７０４ａないしＳ７０４ｃ＞
認証ロックが解除されていると判断されれば、サーバー６１０は、通信端末６２０の会員情報へのアクセスを許可し＜Ｓ７０４ａ＞、認証ロックが設定されていると判断されれば、サーバー６１０は、所定の認証手続きを経て、通信端末６２０の会員情報へのアクセスを許可するか、または認証が行われていない通信端末６２０の会員情報へのアクセスを不許する＜Ｓ７０４ｃ＞。
【００７２】
６．通知＜Ｓ７０５＞
サーバー６３０は、会員情報に含まれた会員の電話番号または電子メールアドレスへのアクセスを試みる第３者の通信端末６２０の位置（または／及び電話番号）を通知する。
【００７３】
＜第３実施形態＞
図８は、本発明の第３実施形態による通信網を用いた会員情報提供方法を具現するシステムを示す。
【００７４】
会員情報提供に必要なシステムは、図８に示されるように、商品８１０、通信端末８２０及びサーバー８３０を備える。
【００７５】
商品８１０にはコードＣが印字されているが、当該コードＣには、サーバー８３０がインターネットを介して提供するウェブページにアクセス可能にするアクセス情報が保存されている。
【００７６】
通信端末８２０は、有線または無線通信が可能であり、カメラが取り付けられており、コードＣを撮影してイメージを獲得した後、サーバー８３０に伝送する機能を行うことができる。
【００７７】
サーバー８３０は、会員に関する情報をウェプページ上に記録してサービスを行い、通信端末８２０から受信されるコードＣに対するイメージ（一つのイメージであってもよく、複数のイメージの連続した映像イメージであってもよい）を解読することによって、獲得したアクセス情報を通信端末８２０に伝送する。ここで、サーバー８３０は、情報保護ロックが解除されている場合にのみコードＣから解釈したアクセス情報を通信端末８２０に伝送して、通信端末８２０の会員情報へのアクセスを許可し、情報保護ロックが設定されている場合には、アクセス情報を通信端末８２０に伝送しないことによって、通信端末８２０の会員情報へのアクセスを不許する。
【００７８】
次いで、前述のような会員情報提供システムで行われる会員情報提供サービス方法について、図９のフローチャートを参照して説明する。
【００７９】
１．登録＜Ｓ９０１＞
サーバー８３０には、会員情報にアクセス可能にするアクセス情報及び会員情報が登録される。
【００８０】
２．ロック設定＜Ｓ９０２ａ＞
会員情報が悪用または誤用されることを防止するために情報保護ロックを設定する。
【００８１】
３．ロック解除＜Ｓ９０２ｂ＞
会員は、サーバー８３０にアクセスして、設定された情報保護ロックを解除することができる。
【００８２】
４．受信＜Ｓ９０３＞
落し物を拾得した第３者が、自身の通信端末８２０を利用して落し物に印字されたコードを撮影した後、撮影されたイメージをサーバー８３０に伝送する。
【００８３】
５．解釈＜Ｓ９０４＞
サーバー８３０は、受信されたイメージから、会員情報にアクセス可能にするアクセス情報を解釈する。
【００８４】
６．判断＜Ｓ９０５＞
ステップＳ９０４で解釈されたアクセス情報を利用してアクセスすることができる会員情報に対して情報保護ロックが設定されているか否かを判断する。
【００８５】
７．伝送＜Ｓ９０６＞
情報保護ロックが解除されている場合には、アクセス情報を、イメージを伝送した通信端末８２０に伝送し、情報保護ロックが設定されている場合には、ステップＳ９０６を省略する。
【００８６】
８．アクセス＜Ｓ９０７＞
落し物を拾得した第３者の通信端末８２０が会員情報へのアクセスを試みれば、サーバー８３０は、当該通信端末８２０の会員情報へのアクセスを許可する。
【００８７】
９．通知＜Ｓ９０８＞
サーバー８３０は、会員情報に含まれた会員の電話番号または電子メールアドレスへのアクセスを試みる第３者の通信端末８２０の位置（または／及び電話番号）を通知する。
【００８８】
前述のように、本発明についての具体的な説明は添付図面に基づく実施形態によってなされたが、前述の実施形態は本発明の好適な例を挙げて説明したものに過ぎないため、本発明が上記の実施形態にのみ制限されるものであると理解されてはならず、本発明の権利範囲は後述する請求範囲およびその等価概念として理解されるべきである。
【符号の説明】
【００８９】
１１０、４１０、６１０、８１０  商品
１２０、４２０、６２０、８２０  通信端末
１３０、４３０、６３０、８３０  サーバー
Ｃ  コード
【図１】
2013530439.tif 000003
【図２】
2013530439.tif 000004
【図３】
2013530439.tif 000005
【図４】
2013530439.tif 000006
【図５】
2013530439.tif 000007
【図６】
2013530439.tif 000008
【図７】
2013530439.tif 000009
【図８】
2013530439.tif 000010
【図９】
2013530439.tif 000011
【国際調査報告】
2013530439.tif 000012
2013530439.tif 000013
2013530439.tif 000014
2013530439.tif 000015